(57)【要約】【課題】  通信帯域数を減らすことなく、ＣＷＤＭ装置における各故障発生部位を容易に特定するための技術を提供する。【解決手段】  低密度波長分割多重装置は、複数の光チャネルと、光多重化／分離部と、複数の送信側光分岐部と、光レベル監視部と、故障情報出力部と、を備える。複数の光チャネルは、各々が異なる波長の光信号を伝搬する。光多重化／分離部は、各光チャネルから入力される光信号を多重化して外部に送信し、外部から受信した多重化光信号を分離して各光チャネルの他端にそれぞれ出力する。複数の送信側光分岐部は、一端側から他端側に出力される送信側光信号を分岐させる。光レベル監視部は、各光チャネルの送信側光信号を監視し、送信側光信号を検出できない光チャネルを示す異常情報を出力する。故障情報出力部は、いずれかの光チャネルでの故障を示す情報を出力する。【選択図】  図１
2012023608.tif 000002
【特許請求の範囲】
【請求項１】
それぞれの一端に光コネクタモジュールを有し、各々が異なる波長の光信号を伝搬する複数の光チャネルと、
前記複数の光チャネルの他端がそれぞれ接続されるとともに、各光チャネルから入力される光信号を多重化して外部に送信し、外部から受信した多重化光信号を波長ごとに分離して各光チャネルの他端にそれぞれ出力する光多重化／分離部と、
各光チャネルで前記一端と前記他端との間に接続されており、前記一端側から前記他端側に出力される送信側光信号を分岐させる複数の送信側光分岐部と、
前記送信側光分岐部から分岐した各光チャネルの前記送信側光信号を監視し、前記送信側光信号を検出できない光チャネルを示す異常情報を出力する光レベル監視部と、
前記異常情報を用いて、いずれかの光チャネルでの故障を示す情報を出力する故障情報出力部と、
を備える低密度波長分割多重装置。
【請求項２】
請求項１に記載の低密度波長分割多重装置において、
各光チャネルで前記一端と前記他端との間に接続されており、前記他端側から前記一端側に出力される受信側光信号を分岐させる複数の受信側光分岐部をさらに備え、
前記光レベル監視部は、前記受信側光分岐部から分岐した各光チャネルの前記受信側光信号を監視し、前記受信側光信号を検出できない光チャネルを示す異常情報をさらに出力する低密度波長分割多重装置。
【請求項３】
請求項１または請求項２に記載の低密度波長分割多重装置において、
前記光チャネルの使用の有無を示す装置情報を記憶したメモリをさらに備え、
前記故障情報出力部は、前記異常情報に対応する光チャネルのうち、前記装置情報が使用状態を示す光チャネルを故障箇所と判定する低密度波長分割多重装置。
【請求項４】
ネットワークの送信側に設けられた請求項１に記載の低密度波長分割多重装置と、
ネットワークの受信側に設けられた請求項２に記載の低密度波長分割多重装置と、
前記送信側の低密度波長分割多重装置から出力される第１故障情報と、前記受信側の低密度波長分割多重装置から出力される第２故障情報とを取得し、前記第１故障情報および第２故障情報を用いてネットワーク上での故障箇所を特定する制御部と、
を備える光通信ネットワークシステム。
【発明の詳細な説明】
【技術分野】
【０００１】
本発明は、低密度波長分割多重装置および光通信ネットワークシステムに関する。
【背景技術】
【０００２】
従来より、高密度波長分割多重装置（以下、「ＤＷＤＭ装置」という。）では、アンプ回路で光信号の多重を行っている。一方、低密度波長分割多重装置（以下、「ＣＷＤＭ装置」という。）では、ＤＷＤＭ装置と異なり、光信号の多重をアンプ回路ではなく、光カプラで行っている。このため、光カプラで波長多重を実現するＣＷＤＭ装置の方が、ＤＷＤＭ装置に比べ中継距離は短いが安価で構成できるメリットがある。
【０００３】
しかし、ＤＷＤＭ装置は、アンプ回路でＳＦＰ（光コネクタモジュール）の送信側の光信号を監視することができるが、ＣＷＤＭ装置は、アンプ回路を搭載していないためＳＦＰの送信側の光信号を監視することができなかった。
【０００４】
このため、従来のＣＷＤＭ装置では、受信側のＳＦＰで送信側の光信号を監視するか、ＯＡＭ（制御、監視）信号等を用いて光信号を監視していた。
【先行技術文献】
【特許文献】
【０００５】
【特許文献１】特開２０００−１３８９５３号公報
【発明の概要】
【発明が解決しようとする課題】
【０００６】
従来のＣＷＤＭ装置の受信側のＳＦＰで送信側の光信号を監視した場合は、光信号の異常が発生した場合、それが送信側の装置内部の故障によるものなのか、ネットワーク側の回線故障（光ケーブル断など）によるものなのか判断できない。上記の場合、故障箇所を現場で特定する作業が必要となるので復旧に時間を要していた。また、回線を復旧させるためには、故障と思われる部分の全ての用品類の準備が必要となるので煩雑であった。
【０００７】
また、従来のＣＷＤＭ装置でＯＡＭ信号を用いて光信号を監視する場合は、ＯＡＭ信号を送信する専用のチャネルを確保する必要があり、通信に用いる帯域数が少なくなる点で改善の余地があった。
【０００８】
上記事情に鑑み、通信帯域数を減らすことなく、ＣＷＤＭ装置における各故障発生部位を容易に特定するための技術を提供する。
【課題を解決するための手段】
【０００９】
一の態様の低密度波長分割多重装置は、複数の光チャネルと、光多重化／分離部と、複数の送信側光分岐部と、光レベル監視部と、故障情報出力部と、を備える。複数の光チャネルは、それぞれの一端に光コネクタモジュールを有し、各々が異なる波長の光信号を伝搬する。光多重化／分離部は、複数の光チャネルの他端がそれぞれ接続されるとともに、各光チャネルから入力される光信号を多重化して外部に送信し、外部から受信した多重化光信号を波長ごとに分離して各光チャネルの他端にそれぞれ出力する。複数の送信側光分岐部は、各光チャネルで一端と他端との間に接続されており、一端側から他端側に出力される送信側光信号を分岐させる。光レベル監視部は、送信側光分岐部から分岐した各光チャネルの送信側光信号を監視し、送信側光信号を検出できない光チャネルを示す異常情報を出力する。故障情報出力部は、異常情報を用いて、いずれかの光チャネルでの故障を示す情報を出力する。
【００１０】
他の態様の低密度波長分割多重装置は、上記一の態様の低密度波長分割多重装置において、各光チャネルで一端と他端との間に接続されており、他端側から一端側に出力される受信側光信号を分岐させる複数の受信側光分岐部をさらに備え、光レベル監視部は、受信側光分岐部から分岐した各光チャネルの受信側光信号を監視し、受信側光信号を検出できない光チャネルを示す異常情報をさらに出力してもよい。
【００１１】
一の態様または他の態様の低密度波長分割多重装置において、光チャネルの使用の有無を示す装置情報を記憶したメモリをさらに備え、故障情報出力部は、異常情報に対応する光チャネルのうち、装置情報が使用状態を示す光チャネルを故障箇所と判定してもよい。
【００１２】
また、本発明の光通信ネットワークシステムは、ネットワークの送信側に設けられた一の態様の低密度波長分割多重装置と、ネットワークの受信側に設けられた他の態様の低密度波長分割多重装置と、制御部と、を備える。制御部は、送信側の低密度波長分割多重装置から出力される第１故障情報と、受信側の低密度波長分割多重装置から出力される第２故障情報とを取得し、第１故障情報および第２故障情報を用いてネットワーク上での故障箇所を特定する。
【発明の効果】
【００１３】
光分岐部で分岐した光信号により送信側の各ＳＦＰからの光信号の監視を行うことで、ＣＷＤＭ装置内部または外部のどちらの故障かの特定が容易に出来る。
【図面の簡単な説明】
【００１４】
【図１】一の実施形態に係る光通信ネットワークシステムの構成例を示すブロック図
【図２】一の実施形態における故障箇所の判定の動作を示す流れ図
【図３】一の実施形態における監視制御部の情報の内容を示す表
【発明を実施するための形態】
【００１５】
＜一の実施形態＞
図１は、一の実施形態に係る光通信ネットワークシステムの構成例を示すブロック図である。
【００１６】
図１に示す一の実施形態の光通信ネットワークシステムは、ＣＷＤＭ装置Ａ１００と、ＣＷＤＭ装置Ｂ２００と、制御部５００とを備える。ここでＣＷＤＭ装置とは、波長の異なる光は互いに干渉しないという性質を利用し、光カプラを用いて複数のデータを一本の通信ケーブルに多重して伝送する装置のことである。
【００１７】
ＣＷＤＭ装置Ａ１００の一端側は、不図示の複数の端末（クライアント）と接続されている。ＣＷＤＭ装置Ａ１００の他端側は、光通信ケーブル４０１を介してＣＷＤＭ装置Ｂ２００の他端側と接続されている。ＣＷＤＭ装置Ｂ２００の一端側は、不図示の複数の端末（クライアント）と接続されている。また、ＣＷＤＭ装置Ａ１００とＣＷＤＭ装置Ｂ２００とは、制御部５００と接続されている。
【００１８】
以下、ＣＷＤＭ装置Ａ１００の構成について説明する。なお、一の実施形態において、ＣＷＤＭ装置Ｂ２００は、ＣＷＤＭ装置Ａ１００と同様の構成である。このため、本明細書では、ＣＷＤＭ装置Ａ１００とＣＷＤＭ装置Ｂ２００とで共通の構成は下２ケタで同じ符号で示す。また、本明細書において、ＣＷＤＭ装置Ｂの構成の説明は省略する。
【００１９】
ＣＷＤＭ装置Ａ１００は、並列配置されたｎ本（但し、ｎは２以上の正の整数）の光チャネルと、光カプラ１２０と、監視制御部１３０と、個別接点部１４０とを有している。
【００２０】
各チャネルは、互いに異なる波長の光信号を送受信する。以下の説明では、ｎ番目のチャネルの構成を指すときには、符号の後ろに−ｎと表記する。また、上記の各チャネルの基本構成は共通である。本明細書では、簡単のため、第１のチャネルの構成のみ説明し、他のチャネルの構成の説明はいずれも省略する。
【００２１】
第１のチャネルは、送信側の光通信ケーブル１５１−１と受信側の光通信ケーブル１５２−１との一対の光通信ケーブルを有している。上記の一対の光通信ケーブル１５１−１および１５２−１の一端側は、チャネルごとに配置されたＳＦＰ１０１−１と接続される。一方、一対の光通信ケーブル１５１−１および１５２−１の他端側は、光カプラ１２０と接続されている。
【００２２】
光カプラ１２０は、各チャネルの光通信ケーブル１５１−１〜ｎの他端から入力される異なる波長の光信号を多重化して外部（光通信ケーブル４０１）へ送信する。また、光カプラ１２０は、外部（光通信ケーブル４０１）から受信した多重化された光信号を波長ごとに分離して各チャネルの光通信ケーブル１５２−１〜ｎの他端にそれぞれ出力する。
【００２３】
第１のチャネルにおいて、光通信ケーブル１５１−１の間には２分岐光カプラ１１１−１が配置され、光通信ケーブル１５２−１の間には２分岐光カプラ１１２−１が配置されている。２分岐光カプラ１１１−１は、ＳＦＰ１０１−１から入力された光信号を２分岐し、一方の光信号を光カプラ１２０へ出力し、他方の光信号を監視制御部１３０へ出力する。２分岐光カプラ１１２−１は、光カプラ１２０から入力された光信号を２分岐し、一方の光信号を光カプラＳＦＰ１０１−１へ出力し、他方の光信号を監視制御部１３０へ出力する。上記の各２分岐光カプラは、光信号に影響を与えない低ロスのものが使用される。
【００２４】
監視制御部１３０は、装置情報記録部１３１と、光レベル監視部１３２と、情報比較部１３３とを備えている。監視制御部１３０は、個別接点部１４０へ故障情報を出力する。
【００２５】
装置情報記録部１３１は、ＣＷＤＭ装置本体の装置情報と、ＳＦＰが搭載されるパッケージに関するパッケージ情報と、各ＳＦＰに関するＳＦＰ情報とが記録されている。ここでパッケージとは、ＳＦＰを差し込むパネルのことである。
【００２６】
装置情報は、ＣＷＤＭ装置本体の故障の有無を示す情報（装置本体の故障情報）である。パッケージ情報は、ＳＦＰが搭載されているパッケージの登録の有無を示す情報（パッケージの登録情報）と、登録されたパッケージの故障の有無を示す情報（パッケージの故障情報）とを含む。ＳＦＰ情報は、パッケージ上でのＳＦＰの登録の有無を示す情報（ＳＦＰの登録情報）と、ＳＦＰの故障の有無を示す情報（ＳＦＰの故障情報）と、ＳＦＰの実装の有無を示す情報（ＳＦＰの実装情報）を含む（図３参照）。
【００２７】
例えば、装置情報は、ＣＷＤＭ装置Ａ１００が故障しているときに故障を示すフラグがオンにされる。また、例えば、パッケージ情報は、パッケージが使用状態として登録されているときに登録を示すフラグがオンにされる。また、例えば、ＳＦＰ情報は、ＳＦＰがパッケージに差し込まれている（実装されている）ときに実装を示すフラグがオンにされる。
【００２８】
光レベル監視部１３２は、各チャネルの２分岐光カプラ（１１１−１〜ｎ、１１２−１〜ｎ）から分岐してきた光信号を受信する。そして、光レベル監視部１３２は、光信号レベルに異常が無いかどうか（例えば、光信号レベルが全く検出出来ない場合など）を監視する。また、光レベル監視部１３２は、各チャネルの光信号異常情報の論理和（ＯＲ）をとった一括情報を出力する。
【００２９】
情報比較部１３３は、装置情報記録部１３１の情報と光レベル監視部１３２の光信号異常情報とを整合して判定した故障情報を個別接点部１４０へ出力する。
【００３０】
個別接点部１４０は、情報比較部１３３から出力された情報を元に制御部５００へ警報を出力する。
【００３１】
制御部５００は、ＣＷＤＭ装置Ａ１００から出力される第１故障情報と、ＣＷＤＭ装置Ｂ２００から出力される第２故障情報とを取得し、第１故障情報および第２故障情報を用いてネットワーク上での故障箇所を特定する。
【００３２】
次に、一の実施形態の故障検出の動作の例を説明する。以下の説明では、ＣＷＤＭ装置Ａ１００を送信側とし、ＣＷＤＭ装置Ｂ２００を受信側としたときの故障検出動作の例を示す。
【００３３】
まず、一の実施形態の光通信ネットワークシステムにおける通信時の光信号の流れを説明する。
【００３４】
送信側のＣＷＤＭ装置Ａ１００のＳＦＰ１０１−１〜ｎは、それぞれ不図示の端末（クライアント）から光信号を受信する。各ＳＦＰ１０１−１〜ｎは、送信側の光通信ケーブル１５１−１〜ｎを介して光カプラ１２０へ光信号を送信する。光カプラ１２０は、各チャネルの光信号を多重化して出力する。ＣＷＤＭ装置Ａ１００で多重化された光信号は、光通信ケーブル４０１を介して受信側のＣＷＤＭ装置Ｂ２００へ送信される。
【００３５】
ＣＷＤＭ装置Ｂ２００において、上記の多重化された光信号は、光カプラ２２０で各波長ごとに分離される。光カプラ２２０で分離された光信号は、各チャネルごとに受信側の光通信ケーブル２５２−１〜ｎを介して各ＳＦＰ２０１−１〜ｎへ送信される。各ＳＦＰ２０１−１〜ｎは、それぞれ不図示の端末（クライアント）へ光信号を送信する。これにより、送信側の端末（クライアント）と受信側の端末（クライアント）とで光通信が行われる。
【００３６】
また、送信側のＣＷＤＭ装置Ａ１００において、各ＳＦＰ１０１−１〜ｎから出力された各チャネルの光信号は、２分岐光カプラ１１１−１〜ｎを介して光レベル監視部１３２にも入力される。そして、監視制御部１３０は、入力された各チャネルの光信号を用いて、故障箇所の判定を行う。
【００３７】
同様に、受信側のＣＷＤＭ装置Ｂ２００において、光カプラ２２０から出力された各チャネルの光信号は、２分岐光カプラ２５２−１〜ｎを介して光レベル監視部２３２にも入力される。そして、監視制御部２３０は、入力された各チャネルの光信号を用いて、故障箇所の判定を行う。
【００３８】
以下、図２のフローチャートを参照しつつ、監視制御部での故障箇所の判定処理を説明する。なお、ＣＷＤＭ装置Ａ１００の監視制御部１３０とＣＷＤＭ装置Ｂ２００の監視制御部２３０は同一の処理を行う。そのため、ここではＣＷＤＭ装置Ａ１００における監視制御部１３０での処理のみ説明し、ＣＷＤＭ装置Ｂ２００における監視制御部２３０での処理の重複説明は省略する。なお、図２の例では、第１のチャネルにおける処理を示す。ＣＷＤＭ装置Ａ１００での監視制御部１３０は、各チャネルについてそれぞれ図２の第１のチャネルと同様の処理を行う。
【００３９】
ステップＳ１０１：情報比較部１３３は、光レベル監視部１３２からＳＦＰ１０１−１の光信号異常情報を読み出し、光信号に異常があるかどうかを判定する。例えば、情報比較部１３３は、第１のチャネルの光信号異常情報を取得した場合は光信号に異常があると判定する。情報比較部１３３は光信号に異常があると判定した場合（ＹＥＳ側）はステップＳ１０２に処理が移行する。情報比較部１３３が光信号に異常が無いと判定した場合（ＮＯ側）はステップＳ１１２に処理が移行する。
【００４０】
ステップＳ１０２：情報比較部１３３は、装置情報記録部１３１からパッケージ情報を読み出し、パッケージが登録されているかを判定する。例えば、情報比較部１３３は、ＳＦＰを差し込むパッケージが使用状態になっているとの情報を取得した場合にはパッケージが登録されていると判定する。情報比較部１３３がパッケージが登録されていると判定した場合（ＹＥＳ側）はステップＳ１０３に処理が移行する。情報比較部１３３がパッケージが登録されていないと判定した場合（ＮＯ側）は処理がステップＳ１１２に処理が移行する。
【００４１】
ステップＳ１０３：情報比較部１３３は、装置情報記録部１３１からＳＦＰ情報を読み出し、ＳＦＰ１０１−１が登録されているかを判定する。例えば、情報比較部１３３は、ＳＦＰ１０１−１が使用状態となっているとの情報を取得した場合にはＳＦＰ１０１−１が登録されていると判定する。情報比較部１３３がＳＦＰ１０１−１は登録されていると判定した場合（ＹＥＳ側）はステップＳ１０４に処理が移行する。情報比較部１３３がＳＦＰ１０１−１は登録されていないと判定した場合（ＮＯ側）はステップＳ１１２に処理が移行する。
【００４２】
ステップＳ１０４：情報比較部１３３は、装置情報記録部１３１から装置情報を読み出し、ＣＷＤＭ装置Ａ１００本体が故障しているかを判定する。例えば、情報比較部１３３は、ＣＷＤＭ装置Ａ１００の故障情報を取得した場合にはＣＷＤＭ装置Ａ１００は故障していると判定する。情報比較部１３３がＣＷＤＭ装置Ａ１００本体の故障情報無しと判定した場合（ＮＯ側）はステップＳ１０５に処理が移行する。情報比較部１３３がＣＷＤＭ装置Ａ１００の故障情報有りと判定した場合（ＹＥＳ側）はステップＳ１１０に処理が移行する。
【００４３】
ステップＳ１０５：情報比較部１３３は、装置情報記録部１３１からパッケージ情報を読み出し、パッケージが故障しているかを判定する。例えば、情報比較部１３３は、パッケージの故障情報を取得した場合にはパッケージが故障していると判定する。情報比較部１３３がパッケージの故障情報無しと判定した場合（ＮＯ側）はステップＳ１０６に処理が移行する。情報比較部１３３がパッケージの故障情報有りと判定した場合（ＹＥＳ側）はステップＳ１１０に処理が移行する。
【００４４】
ステップＳ１０６：情報比較部１３３は、装置情報記録部１３１からＳＦＰ情報を読み出し、対象となるＳＦＰ１０１−１本体が故障しているかを判定する。例えば、情報比較部１３３は、ＳＦＰ１０１−１の故障情報を取得した場合にはＳＦＰ１０１−１は故障していると判定する。情報比較部１３３が対象となるＳＦＰ１０１−１本体の故障情報無しと判定した場合（ＮＯ側）はステップＳ１０７に処理が移行する。情報比較部１３３が対象となるＳＦＰ１０１−１本体の故障情報有りと判定した場合（ＹＥＳ側）はステップＳ１１０に処理が移行する。
【００４５】
ステップＳ１０７：情報比較部１３３は、装置情報記録部１３１からＳＦＰ情報を読み出し、対象となるＳＦＰ１０１−１が実装されているかを判定する。例えば、情報比較部１３３は、ＳＦＰ１０１−１が実際にパッケージに差し込まれている旨のＳＦＰ情報を取得した場合にＳＦＰ１０１−１は実装されていると判定する。情報比較部１３３が、対象となるＳＦＰ１０１−１が実装されていると判定した場合（ＹＥＳ側）はステップＳ１０８に処理が移行する。情報比較部１３３が、対象となるＳＦＰ１０１−１が実装されていないと判定した場合（ＮＯ側）はステップＳ１１０に処理が移行する。
【００４６】
ステップＳ１０８：情報比較部１３３は、ステップＳ１０１の光信号の異常を光通信ケーブル１５１−１の内部回線断等の故障であると判定して個別接点部１４０へ出力する。その後、ステップＳ１０９へ処理が移行する。
【００４７】
ステップＳ１０９：個別接点部１４０は、情報比較部１３３から出力された情報により一次警報を出力し、本フローチャートを終了する。
【００４８】
ステップＳ１１０：情報比較部１３３は、ステップＳ１０１の光信号の異常を保守作業等によるものと判定して個別接点部１４０へ出力する。その後、ステップＳ１１１へ処理が移行する。
【００４９】
ステップＳ１１１：個別接点部１４０は、情報比較部１３３から出力された情報により二次警報を出力し、本フローチャートを終了する。
【００５０】
ステップＳ１１２：情報比較部１３３は、ステップＳ１０１から光信号に異常が無いと判定して個別接点部１４０へ出力する。その後、ステップＳ１１３に処理が移行する。
【００５１】
ステップＳ１１３：個別接点部１４０は、情報比較部１３３から出力された情報により、警報を出力せず、本フローチャートを終了する。
【００５２】
上記フローチャートの処理終了後、制御部５００は、上記ＣＷＤＭ装置Ａ１００の個別接点部１４０から出力される第１故障情報とＣＷＤＭ装置Ｂ２００の個別接点部２４０から出力される第２故障情報を比較することによって、光通信ネットワークのどの部位で光回線が故障しているかを特定する。
【００５３】
一例として、図１のＸにて回線断が発生した場合の動作について説明する。Ｘは、ＣＷＤＭ装置Ａ１００のＳＦＰ１０１−１と２分岐光カプラ１１１−１との間の光通信ケーブル１５１−１上に存在するものとする。なお、この例では、ＣＷＤＭ装置Ａ１００、ＣＷＤＭ装置Ｂ２００は保守状態に無く、かつＸ以外の箇所の故障は無いことを前提とする。
【００５４】
Ｘにて回線断が発生した場合、情報比較部１３３は、ステップＳ１０１にて光レベル監視部１３２の情報から第１のチャネルの光通信ケーブル１５１−１の光信号に異常があると判定する。また、情報比較部１３３は、光レベル監視部１３２の情報から光通信ケーブル１５１−２〜ｎは異常が無いと判定する。
【００５５】
情報比較部１３３は、装置情報記録部１３１の情報からステップＳ１０２〜Ｓ１０７にてパッケージ、ＳＦＰ１０１−１〜ｎが登録されていること、装置、パッケージ、ＳＦＰ１０１−１〜ｎに故障が無いこと、ＳＦＰ１０１−１〜ｎが実装されていることを確認する。情報比較部１３３は、ステップＳ１０８にて光通信ケーブル１５１−１が故障していると判定し個別接点部１４０に情報を出力する。個別接点部１４０は、ステップＳ１０９にて一次警報を出力する。
【００５６】
このとき、ＣＷＤＭ装置Ｂ２００においても光信号に異常が検出されるため、個別接点部２４０からも一次警報が出力される。
【００５７】
制御部５００は、ＣＷＤＭ装置Ａ１００の第１故障情報とＣＷＤＭ装置Ｂ２００の第２故障情報を比較する。上記の場合、第１故障情報の示すＸを起点として受信側の各部で光信号を受信できない影響が生じている。そのため、制御部５００は、ＣＷＤＭ装置Ａ１００の光通信ケーブル１５１−１が故障していると判定する。
【００５８】
次に、一例として光通信ケーブル４０１のＹにおいて回線断が発生した場合について説明する。Ｙは、光通信ケーブル４０１上に存在するものとする。なお、この例では、ＣＷＤＭ装置Ａ１００、ＣＷＤＭ装置Ｂ２００は保守状態に無く、かつＹ以外の箇所の故障は無いことを前提とする。
【００５９】
Ｙにて回線断が発生した場合は、ＣＷＤＭ装置Ａ１００の情報比較部１３３は、ステップＳ１０１にて光レベル監視部１３２の情報からＳＦＰ１０１−１〜ｎと光カプラ１２０とを接続する全てのチャネルの光通信ケーブル１５１−１〜ｎの光信号に異常が無いと判定する。
【００６０】
この場合、ステップＳ１１２に移行し、情報比較部１３３は、ＣＷＤＭ装置Ａ１００は正常と判定し、個別接点部１４０へ情報を出力する。個別接点部１４０は、ステップＳ１１３にて警報を出力しない。
【００６１】
一方、ＣＷＤＭ装置Ｂ２００の情報比較部２３３は、ステップＳ１０１にて、光レベル監視部２３２の情報から光通信ケーブル２５１−１〜ｎの光信号に異常があると判定する。
【００６２】
また、情報比較部２３３は、ステップＳ１０２〜Ｓ１０７にて、パッケージ、ＳＦＰ２０１−１〜ｎが登録されていること、装置、パッケージ、ＳＦＰ２０１−１〜ｎに故障が無いこと、ＳＦＰ２０１−１〜ｎが実装されていることを確認する。情報比較部２３３は、ステップＳ１０８にて光通信ケーブル２５１−１〜ｎが故障していると判定し個別接点部２４０に情報を出力する。個別接点部２４０は、ステップＳ１０９にて一次警報を出力する。
【００６３】
このとき、制御部５００は、ＣＷＤＭ装置Ａ１００の第１故障情報とＣＷＤＭ装置Ｂ２００の第２故障情報を比較する。第１故障情報では警報が出力されていないが、第２故障情報では一次警報が出力されている。そのため、制御部５００は、ＣＷＤＭ装置Ａ１００の内部は故障しておらず、ＣＷＤＭ装置Ａ１００の外部の光通信ケーブル４０１が故障していると判定する。
【００６４】
次に、一例として、全てのパッケージ、ＳＦＰは登録されており、装置等について故障は無いものの、図１のＳＦＰ１０１−１が保守のため実装されていない場合の動作について説明する。なお、この例では、全ての光通信ケーブルにケーブル断等の故障は無く、ＣＷＤＭ装置Ｂ２００は保守状態では無いことを前提とする。
【００６５】
上記の場合、情報比較部１３３は、ステップＳ１０１にて光レベル監視部１３２の情報から第１のチャネルの光通信ケーブル１５１−１の光信号に異常があると判定する。また、情報比較部１３３は、光レベル監視部１３２の情報から光通信ケーブル１５１−２〜ｎの光信号は異常が無いと判定する。
【００６６】
また、情報比較部１３３は、ステップＳ１０２〜Ｓ１０６にてパッケージ、ＳＦＰ１０１−１が登録されていること、装置、パッケージ、ＳＦＰ１０１−１に故障が無いことを確認する。情報比較部１３３は、ステップＳ１０７にて装置情報記録部１３１の情報を読み出し、ＳＦＰ１０１−１が実装されていないと判定する。情報比較部１３３は、ステップＳ１１０にて光レベル監視部１３２と装置情報記録部１３１の両者の情報から、ＳＦＰ１０１−１が保守作業をしていると判定し、個別接点部１４０に出力する。個別接点部１４０は、ステップＳ１１１にて二次警報を出力する。
【００６７】
このとき、ＣＷＤＭ装置Ｂ２００の光通信ケーブル２５２−１の光信号にも異常が検出されるがＣＷＤＭ装置Ｂ２００は保守状態では無いため、ＣＷＤＭ装置Ｂ２００の個別接点部２４０からは一次警報が出力される可能性もある。
【００６８】
制御部５００は、ＣＷＤＭ装置Ａ１００の第１故障情報とＣＷＤＭ装置Ｂ２００の第２故障情報を比較する。上記の場合、受信側の光通信ケーブル２５２−１で光信号を検出できないが、第１故障情報の示すＣＷＤＭ装置Ａ１００は保守の状態である。そのため、制御部５００は、ＣＷＤＭ装置Ａ１００のＳＦＰ１０１−１は保守作業を行っていると判定する。
【００６９】
以上、一の実施形態について説明した。従来のＣＷＤＭ装置では、光通信ケーブル１５１−１〜ｎの途中で回線断等の故障が発生しても送信側では監視を行えず、受信側のＳＦＰ２０１−１〜ｎで監視するだけであった。このため、光信号に異常が発生した場合、回線断がＣＷＤＭ装置Ａ１００内部で発生したのか、装置外部（光通信ケーブル４０１）で発生したのか判別できなかった。
【００７０】
しかし、本実施形態によれば、送信側の光通信ケーブル１５１−１〜ｎの途中に２分岐光カプラ１１１−１〜ｎを配置したことにより、送信側のＳＦＰ１０１−１〜ｎからの光信号の監視が行うことができる。このため、ＣＷＤＭ装置Ａ１００内部または外部（光通信ケーブル４０１）のどちらの故障かの切り分けが早期にでき、回線を早期に復旧することが可能である。
【００７１】
従って、本実施形態によれば、故障場所の特定が容易に出来、復旧用品についても容易に特定することが可能である。
【００７２】
また、装置情報記録部１３１の情報と、光レベル監視部１３２の情報を情報比較部１３３にて、整合を行うことにより、異常が故障によるものか保守作業等によるものか判定することも可能である。
【００７３】
なお、図１のＣＷＤＭ装置Ｂの光通信ケーブル２５１のＺにて回線断が発生した場合は、受信側のＳＦＰ２０１−１にて回線断を検出すればよい。Ｚは、ＣＷＤＭ装置Ｂ２００の第１のチャネルにおける２分岐光カプラ２１２−１とＳＦＰ２０１−１の間の光通信ケーブル２５２−１上に存在するものとする。この場合において、制御部５００は、ＣＷＤＭ装置Ａ１００とＣＷＤＭ装置Ｂ２００から故障情報を受信しなくとも、ＳＦＰ２０１−１から回線断があったとの情報を受信し、光通信ケーブル２５１−１において回線断が発生したと判定することが出来る。
【００７４】
＜実施形態の補足事項＞
上記の実施形態では、送信側のＣＷＤＭ装置Ａ１００と受信側のＣＷＤＭ装置Ｂ２００の両者とも２分岐光カプラ１１１−１〜ｎ、２１１−１〜ｎが備わっている場合について説明したが、送信側のＣＷＤＭ装置Ａ１００についてのみ２分岐光カプラ１１１−１〜ｎを備えていてもよい。ＣＷＤＭ装置Ａ１００のみ２分岐光カプラを備える場合であっても、制御部５００は、ＣＷＤＭ装置Ａ１００の内部で故障が発生したのか外部（光通信ケーブル４０１）で故障が発生したのか特定することは可能である。
【００７５】
上記の実施形態において、ＣＷＤＭ装置Ａ１００は、装置情報記録部１３１と情報比較部１３３と個別接点部１４０の構成を省略してもよい。この場合、制御部５００は、警報が一次警報か二次警報かを判定できないが、光レベル監視部１３２の光信号異常情報により、内部で故障が発生したか外部（光通信ケーブル４０１）で故障が発生したのかの切り分けることは可能である。
【００７６】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００７７】
１００…ＣＷＤＭ装置Ａ、１０１−１〜ｎ…ＳＦＰ、１１１−１〜ｎ…２分岐光カプラ、１２０…光カプラ、１３０…監視制御部、１３１…装置情報記録部、１３２…光レベル監視部、１３３…情報比較部、１４０…個別接点部、１５１−１〜ｎ、１５２−１〜ｎ…光通信ケーブル、２００…ＣＷＤＭ装置Ｂ、２０１−１〜ｎ…ＳＦＰ、２１１−１〜ｎ…２分岐光カプラ、２２０…光カプラ、２３０…監視制御部、２３１…装置情報記録部、２３２…光レベル監視部、２３３…情報比較部、２４０…個別接点部、２５１−１〜ｎ、２５２−１〜ｎ…光通信ケーブル、４０１…光通信ケーブル、５００…制御部、Ｘ、Ｙ、Ｚ…回線断
【図１】
2012023608.tif 000003
【図２】
2012023608.tif 000004
【図３】
2012023608.tif 000005